(57)【要約】【課題】この考案の目的は、身の回りにおいて使用される眼鏡用レンズ、ゴルフ用パター、印材等の物品について、実用的価値を高めることができるとともに、付加価値を高めることができる宝石を備えた物品に関するものである。【解決手段】この考案は、ダイヤモンド等の宝石を支持具に支持させて設け、身の回りにおいて使用される物品に孔を形成して設け、この物品の孔に前記宝石を支持させた支持具を挿入して固定して設けたことを特徴とする。【選択図】図１
0003106498.tif 000002
【実用新案登録請求の範囲】
【請求項１】
ダイヤモンド等の宝石を支持具に支持させて設け、身の回りにおいて使用される物品に孔を形成して設け、この物品の孔に前記宝石を支持させた支持具を挿入して固定して設けたことを特徴とする宝石を備えた物品。
【請求項２】
前記支持具は、金、プラチナ等の貴金属を材料として形成され、前記宝石を支持させる筒状部の一端につば部を有していることを特徴とする請求項１記載の宝石を備えた物品。
【請求項３】
前記身の回りにおいて使用される物品は、眼鏡用レンズ、ゴルフ用パター、印材、コンピュータ用マウス、携帯電話、鍵等であることを特徴とする請求項１記載の宝石を備えた物品。
【考案の詳細な説明】
【技術分野】
【０００１】
この考案は宝石を備えた物品に係り、特に、身の回りにおいて使用される眼鏡用レンズ、ゴルフ用パター、印材等の物品について、実用的価値を高めることができるとともに、付加価値を高めることができる宝石を備えた物品に関するものである。
【背景技術】
【０００２】
身の回りにおいて使用される物品には、例えば、眼鏡やゴルフ用パター、印鑑等がある。これらの物品は、実用的な目的の他に、装飾としての目的を有しているものがある。
【０００３】
そのため、眼鏡においては、フレームに宝石等を付することにより価値を高めることが行われている。一方、ゴルフ用パターにおいては、実用的な目的としてスイートスポットを示すための目印を付すことが行われ、同様に印鑑の印材にも実用的な目的として印影の方向を正確に示すための目印を付すことが行われている。
【０００４】
身の回りにおいて使用される物品に宝石を使用したものとしては、ぬいぐるみの目の部分に任意の人の誕生石にあたる宝石を使用することにより、ぬいぐるみにストーリー性を出させ、また、高級感を出させたものがある。
【特許文献１】特開平８−１８７３６３号公報
【考案の開示】
【考案が解決しようとする課題】
【０００５】
ところが、前記眼鏡の眼鏡用レンズやゴルフ用パター、印鑑の印材等の物品は、機能や加工によって実用的価値を高めることができる一方で、付加価値を高めることに限度があり、高付加価値を得ることが困難な問題があった。
【０００６】
そこで、この考案は、眼鏡用レンズ、ゴルフ用パター、印材等の物品にダイヤモンド等の宝石を固定することにより、実用的価値を高めることができるとともに、付加価値を高めることができる宝石を備えた物品を実現するものである。
【課題を解決するための手段】
【０００７】
この考案は、ダイヤモンド等の宝石を支持具に支持させて設け、身の回りにおいて使用される物品に孔を形成して設け、この物品の孔に宝石を支持させた支持具を挿入して固定して設けたことを特徴とする。
【考案の効果】
【０００８】
この考案は、身の回りにおいて使用される物品に形成した孔に、宝石を支持させた支持具を挿入して固定して設けることにより、物品の実用的価値を高めることができるとともに付加価値を高めることができる。例えば、従来の眼鏡においては、フレームにのみ宝石が付されていたが、宝石を眼鏡用レンズに付することにより、装飾としての眼鏡の選択の幅を広げることができ、眼鏡用レンズに宝石が付されているため、正面から直視されて装飾品としての価値をより高めることができる。また、ゴルフ用パター、印材においては、目印として宝石を付することにより、実用品としても装飾品としての価値もある物品を提供できる。
【考案を実施するための最良の形態】
【０００９】
この考案は、身の回りにおいて使用される物品、例えば、眼鏡用レンズの視野の妨とならない部分に孔を設け、ダイヤモンド等の宝石を支持させた支持具を前記眼鏡用レンズの孔に挿入して固定し、また、ゴルフ用パター、印材の場合には、通常目印を付する部分、即ちゴルフ用パターのスイートスポットを示す部分、印材では印影の方向を示す部分に孔を開け、宝石を支持した支持具をその孔に挿入して固定するものであり、物品の実用的価値を高めることができるとともに付加価値を高めることができる。
以下、図面に基づいて、実施例を説明する。
【実施例】
【００１０】
図１〜図１３は、この発明の実施例を示すものである。図１・図２において、２はダイヤモンド等の宝石、４は支持具である。支持具４は、図３に示す如く、金、プラチナ等を材料として細い円筒形状の筒状部６に形成され、その長さはダイヤモンド等の宝石２を内部に支持できる長さで足り、宝石を支持する一端につば部８を有している。
【００１１】
この筒状部４にダイヤモンド等の宝石２を固定する手段は、公知の種々の手段を採用することができる。宝石２は、支持具４の筒状部６に挿入され、つば部８からわずかに突出して支持されていることが好ましい。
【００１２】
ダイヤモンド等の宝石を支持させた支持具４は、身の回りにおいて使用される物品１０に固定される。身の回りにおいて使用される物品１０としては、図４に示す眼鏡用レンズ１０−１、図５・図６に示すゴルフ用パター１０−２、図７〜図１０に示す印鑑の印材１０−３、図１１に示すコンピュータ用マウス１０−４、図１２に示す携帯電話１０−５、図１３に示す鍵１０−６等がある。
【００１３】
これら身の回りにおいて使用される物品１０には、孔１２を形成して設けている。この物品１０の孔１２には、宝石２を支持させた支持具４を挿入して固定して設ける。
【００１４】
例えば、図４に示す眼鏡用レンズ１０−１は、レンズ面１４の中心から左下隅に偏った位置に孔１２−１を形成し、この孔１２−１にダイヤモンド等の宝石２を支持させた支持具４を挿入して固定している。支持具４の固定位置は、視野の妨げとならない場所であれば差し支えなく、限定されない。
【００１５】
この眼鏡用レンズ１０−１は、孔１２−１に宝石２を支持させた支持具４を固定して設けたことにより、装飾としての眼鏡の選択の幅を広げることができ、正面から直視されて装飾品としての価値をより高めることができる。
【００１６】
なお、１つの眼鏡用レンズ１０−１には、１つの孔１２−１を形成するだけでなく、複数個の孔１２−１を形成することもできる。また、眼鏡用レンズ１０−１は、プラスチックレンズであることが加工上において好ましいが、必ずしもそれに限定されるものではない。
【００１７】
図５に示すゴルフ用パター１０−２は、ヘッド部１６上部のスイートスポットを示す位置に孔１２−２を形成し、この孔１２−２にダイヤモンド等の宝石２を支持させた支持具４を挿入して固定している。図６に示すゴルフ用パター１０−２は、ヘッド部１６側部のスイートスポット位置に孔１２−２を形成し、この孔１２−２にダイヤモンド等の宝石２を支持させた支持具４を挿入して固定している。
【００１８】
ゴルフ用パター１０−２においては、スイートスポットの目印として宝石２を付することにより、実用品としても装飾品としての価値もある物品を提供することができる。
【００１９】
図７に示すは印材１０−３は、本体１８の印影の方向を示す位置に孔１２−３を形成し、この孔１２−３にダイヤモンド等の宝石２を支持させた支持具４を挿入して固定している。図８に示すは印材１０−３は、本体１８の印影の方向を示す位置に貫通し且つ先細りする孔１２−３を形成し、この孔１２−３にダイヤモンド等の宝石２を支持させた支持具４を飛び出しを防止しつつ挿入して固定している。
【００２０】
図９に示す印材１０−３は、本体１８の印面２０の文字と干渉しない位置に孔１２−３を形成し、この孔１２−３にダイヤモンド等の宝石２を支持させた支持具４を挿入して固定している。図１０に示す印材１０−３は、本体１８の印面２０の文字を形成する位置に複数の孔１２−３を形成し、これら孔１２−３にダイヤモンド等の宝石２を支持させた支持具４を文字が形成されるように挿入して固定している。
【００２１】
印材１０−３においては、印影の方向の目印として宝石２を付し、印面２０の文字と干渉しない位置に宝石２を付し、印面２０の文字を形成する位置に宝石２を付すことにより、実用品としても装飾品としての価値もある物品を提供することができる。
【００２２】
図１１に示すコンピュータ用マウス１０−４は、本体２２の握り部２４やボタン部２６の手のつぼが当たる位置に孔１２−４を形成し、この孔１２−４にダイヤモンド等の宝石２を支持させた支持具４を挿入して固定している。
【００２３】
コンピュータ用マウス１０−４においては、手のつぼが当たる位置に宝石２を付したことにより、マウス操作により手のつぼを刺激して健康を維持・増進することができ、実用品としても装飾品としての価値もある物品を提供することができる。
【００２４】
図１２に示す携帯電話１０−５は、本体２８背面のカメラ用レンズ３０近傍の位置に孔１２−５を形成し、この孔１２−５にダイヤモンド等の宝石２を支持させた支持具４を挿入して固定している。
【００２５】
携帯電話１０−５においては、カメラ用レンズ３０近傍の位置に宝石２を付したことにより、撮影時に被撮影者の視線を容易に集めることができ、実用品としても装飾品としての価値もある物品を提供することができる。
【００２６】
図１３に示す鍵１０−６は、鍵部３２を鍵穴に挿入する際の操作部３４の姿勢が正規の方向を示す位置に孔１２−６を形成し、この孔１２−５にダイヤモンド等の宝石２を支持させた支持具４を挿入して固定している。
【００２７】
鍵１０−６においては、操作部３４の姿勢が正規の方向を示す位置に宝石２を付したことにより、鍵部３２を鍵穴に挿入する際に、方向を間違えることなく適正な方向に挿入して容易に解錠操作することができ、実用品としても装飾品としての価値もある物品を提供することができる。
【産業上の利用可能性】
【００２８】
この考案は、眼鏡用レンズやゴルフ用パター、印材等の身の回りにおいて使用される物品にダイヤモンド等の宝石を付したものであり、物品の実用的価値を高めることができるとともに付加価値を高めることができるものである。
【図面の簡単な説明】
【００２９】
【図１】宝石を支持させた支持具の側面図である。
【図２】宝石を支持させた支持具の平面図である。
【図３】支持具の斜視図である。
【図４】宝石を付した眼鏡用レンズの正面図である。
【図５】スイートスポットを示す位置に宝石を付したゴルフ用パターの斜視図である。
【図６】スイートスポット位置に宝石を付したゴルフ用パターの斜視図である。
【図７】印影の方向を示す位置に宝石を付した印材の斜視図である。
【図８】印影の方向を示す位置の貫通孔に宝石を付した印材の一部拡大断面図である。
【図９】印面の文字と干渉しない位置に宝石を付した印材の底面図である。
【図１０】印面の文字を形成する位置に宝石を付した印材の一部拡大底面図である。
【図１１】手のつぼが当たる位置に宝石を付したコンピュータ用マウスの斜視図である。
【図１２】カメラ用レンズ近傍の位置に宝石を付した携帯電話の斜視図である。
【図１３】操作部の姿勢が正規の方向を示す位置に宝石を付した鍵の斜視図である。
【符号の説明】
【００３０】
２  宝石
４  支持部
６  筒状部
８  つば部
１０  物品
１２  孔
【図１】
0003106498.tif 000003
【図２】
0003106498.tif 000004
【図３】
0003106498.tif 000005
【図４】
0003106498.tif 000006
【図５】
0003106498.tif 000007
【図６】
0003106498.tif 000008
【図７】
0003106498.tif 000009
【図８】
0003106498.tif 000010
【図９】
0003106498.tif 000011
【図１０】
0003106498.tif 000012
【図１１】
0003106498.tif 000013
【図１２】
0003106498.tif 000014
【図１３】
0003106498.tif 000015